(57)【要約】      （修正有）【課題】磁石を利用してドアの開き位置を保持させることのできるドアストッパーの使用によりドアのヒンジを傷めたり、ドアの外観を損ねたりするという事態が起こらないようにし、戸当たりを利用して床面に据え付けることのできるドアストッパーの据付構造を提供する。【解決手段】ドアストッパー１００は、側面視Ｌ字状の弾性を備えた板金製支持体の立上り部１１に磁石Ｍを固定し、取付け部１２に取付け孔１３を設けてなる。ドアストッパーの据付構造は、床部に打ち込まれたアンカーボルト４０に取付け部１２の取付け孔１３を挿通し、戸当たり２００の支柱３０のねじ孔３１をアンカーボルト４０にねじ込んで、取付け部１２を支柱３０と床面Ｆとの間で挟持させる。【選択図】図６
0003207462.tif 000002
【実用新案登録請求の範囲】
【請求項１】
ヒンジを中心として開閉動されるドアの開き位置を保持させることに用いられるドアストッパーであって、
立上り部とこの立上り部の下端に連設されて床面に据え付けられる取付け部とを有する側面視Ｌ字状の弾性を備えた板金製支持体の上記立上り部に、上記ドアの磁性面に吸着可能な磁石が固定されていると共に、上記取付け部に取付け孔が設けられていることを特徴とするドアストッパー。
【請求項２】
上記立上り部と上記磁石との固定箇所において、磁石の裏面外周部が立上り部に設けられた開口の外周縁部に重なり合い、上記開口に嵌め込まれた樹脂部材の片面の全体が上記磁石の裏面に重なり合い、かつ、この樹脂部材の外周端面が上記開口の内周面に重なり合い、上記磁石の裏面外周部と立上り部の開口の外周縁部との重なり箇所、上記樹脂部材の片面の全体と上記磁石の裏面との重なり箇所、及び、上記樹脂部材の外周端面と上記開口の内周面との重なり箇所、との３箇所が接着剤で接合されていると共に、上記磁石がネオジム磁石でなる請求項１に記載したドアストッパー。
【請求項３】
上記立上り部と上記磁石との固定箇所において、磁石の表面が立上り部の表面に対して面一になるようにその磁石が立上り部に設けられた開口に嵌め込まれ、かつ、その磁石の外周面と上記開口の内周面との重なり箇所が接着剤で接合されていると共に、上記支持体の立上り部が上記固定箇所よりも下部位置で折り曲げられていることによってその立上り部に上記取付け部の前方に迫り出す傾斜部が具備されている請求項１に記載したドアストッパー。
【請求項４】
上記立上り部と上記磁石との固定箇所において、上記磁石がその貫通孔に挿通された皿頭ねじを利用して上記立上り部にねじ止めされ、かつ、上記皿頭ねじの頭部の全体が、上記貫通孔に具備された凹入部に収容されている請求項１に記載したドアストッパー。
【請求項５】
請求項１ないし請求項４のいずれか１項に記載したドアストッパーにおける支持体の取付け部に開設されている取付け孔に、床面から突出された取付けボルトが挿通され、その取付けボルトにねじ込まれたナット体と上記床面とによって上記取付け部が挟持固定されていることを特徴とするドアストッパーの据付構造。
【請求項６】
上記取付けボルトが床部に打ち込まれたアンカーボルトであり、上記ナット体は、上記アンカーボルトにねじ合わされたねじ孔を有する支柱にドアとの衝撃を和らげる緩衝体が設けられてなる戸当たりに備わっている上記支柱である請求項５に記載したドアストッパーの据付構造。
【請求項７】
床部に打ち込まれたアンカーボルトに、ドアとの衝撃を和らげる緩衝体が設けられた円柱状の支柱のねじ孔がねじ合わされてなる戸当たりに備わっている上記支柱に、請求項１ないし請求項４のいずれか１項に記載したドアストッパーにおける支持体の取付け部に開設されている取付け孔が嵌合されていることによって、上記ドアストッパーが、上記支柱に回動自在に保持されていることを特徴とするドアストッパーの据付構造。
【考案の詳細な説明】
【技術分野】
【０００１】
本考案は、磁石の吸着性を利用してドアの開き位置を保持させることに用いられるドアストッパ−及びその据付構造に関する。
【背景技術】
【０００２】
図１３はドアストッパー１００の従来例を示した斜視図である。同図のドアストッパー１００は楔形のブロックでなる。このドアストッパー１００は、ヒンジ（不図示）を中心として開動されたドア（不図示）と床面との隙間に差し込まれることによって、ドアをその開き位置に保持する作用を発揮する。このドアストッパー１００と同様の作用を発揮する楔形のドアストッパーが先行例によっても提案されている（たとえば、特許文献１参照）。また、他の先行例によって、ドア側に装着するタイプのドアストッパーが提案されている（たとえば、特許文献２参照）。
【０００３】
一方、床用戸当たりに関する他の提案もなされている（たとえば、特許文献３参照）。この戸当たりでは、床面から突出させたアンカーボルトを利用することによって、クッションゴムを備えた脚筒を定位置に据え付けている。
【先行技術文献】
【特許文献】
【０００４】
【特許文献１】特開２０１１−１７９２６７号公報（図７）
【特許文献２】特開２０１６−１３０４４５号公報
【特許文献３】特開２０１４−５８８２９号公報
【考案の概要】
【考案が解決しようとする課題】
【０００５】
しかしながら、上記した楔形のブロックでなる従来のドアストッパーは、ドアと床面との隙間に差し込まれたドアストッパーが、ヒンジによって閉方向に付勢されているドアにより押し戻されて床面を滑り、その結果、ドアの開き位置が不安定になるという事態が起こりやすい。そこで、そのような事態が起こらないように、ドアストッパーをドアと床面との隙間に靴で蹴って無理やり打ち込んだりするということも多々行われているけれども、そのようにすると、ドアのヒンジに無理な力が加わってヒンジが傷みやすくなる。
【０００６】
また、先行例によって提案されているようなドア側に装着するタイプのドアストッパーは、ドアストッパーが目立ってドアの外観が損なわれたり、ドアストッパーの装着箇所でドアが傷付きやすい、といった難点がある。そのため、ホテル客室のドアのように、外観が重視されるようなドアに採用するには不向きである場合が多い。
【０００７】
本考案は、上記の事情に鑑みてなされたものであり、床面の定位置に設置した磁石を利用してドアの開状態を保持させることのできるドアストッパーを提供することによって、その使用によりドアのヒンジを傷めたり、ドアの外観を損ねたりするという事態が起こらないようにすることを目的としている。
【０００８】
また、本考案は、たとえば特許文献３によって提案されているような戸当たりが床面に設置されているような場所において、その戸当たりを利用して床面に据え付けることのできるドアストッパーの据付構造を提供することを目的としている。
【課題を解決するための手段】
【０００９】
本考案に係るドアストッパーは、ヒンジを中心として開閉動されるドアの開き位置を保持させることに用いられる。そして、立上り部とこの立上り部の下端に連設されて床面に据え付けられる取付け部とを有する側面視Ｌ字状の弾性を備えた板金製支持体の上記立上り部に、上記ドアの磁性面に吸着可能な磁石が固定されていると共に、上記取付け部に取付け孔が設けられている、というものである。この構成を備えたドアストッパーによると、取付け部が床面に据え付けられた支持体の立上り部に固定されている磁石を、ヒンジを中心として開閉動されるドアの磁性面に対向させておくと、ドアが開かれてその磁性面が磁石に吸着したときのドアの開き位置でドアが保持される。ここで、ドアの磁性面には、ドアが磁性を持つ鉄などの金属製のものであればそのドア自体の表面が相当し、ドアが木製などの非磁性体で作られているものでは、そのドアの表面に貼り付けられた金属製の磁性プレートなどが相当する。
【００１０】
本考案に係るドアストッパーでは、上記立上り部と上記磁石との固定箇所において、磁石の裏面外周部が立上り部に設けられた開口の外周縁部に重なり合い、上記開口に嵌め込まれた樹脂部材の片面の全体が上記磁石の裏面に重なり合い、かつ、この樹脂部材の外周端面が上記開口の内周面に重なり合い、上記磁石の裏面外周部と立上り部の開口の外周縁部との重なり箇所、上記樹脂部材の片面の全体と上記磁石の裏面との重なり箇所、及び、上記樹脂部材の外周端面と上記開口の内周面との重なり箇所、との３箇所が接着剤で接合されていると共に、上記磁石がネオジム磁石でなる、という構成を採用することが可能である。この構成を採用しておくと、磁石の裏面外周部が立上り部の開口の外周縁部に接着剤で接合されているだけでなく、外周端面と立上り部の開口の内周面との重なり箇所で接着剤で接合されている樹脂部材の片面の全体にも接着剤で接合されていることにより、磁石が立上り部に強固に接合された状態になっている。そのため、ドアの磁性面に吸着した磁石が、ドアが閉動されるのに伴って立上り部から剥がれてドア側に吸着したままになるという事態が未然に防止され、そのことが、ドアストッパーの耐久性を高めることに役立つ。この作用は、磁石として、磁束密度が高くて非常に強い磁力を持つネオジム磁石を採用しているこの考案において特に有益である。さらにこの考案によれば、磁石の裏面外周部が立上り部の開口の外周縁部に接着剤で接合されていることにより、磁石がその厚さ分だけ立上り部から前方に突き出た状態になる。そのため、磁石が吸着した磁性面を有するドアと立上り部との間に立上り部の撓み代となる隙間が形成される、その結果、ドアの磁性面が磁石に吸着したときの衝撃が、立上り部の弾性変形により吸収されて支持体の変形や破損が防止され、併せて、ドア側の磁石の吸着箇所が傷付いたり吸着箇所の塗装が剥がれたりするおそれが少なくなるだけでなく、機械的に壊れやすいという特性を持つネオジム磁石の耐久性を高めることにも役立っている。
【００１１】
本考案に係るドアストッパーでは、上記立上り部と上記磁石との固定箇所において、磁石の表面が立上り部の表面に対して面一になるようにその磁石が立上り部に設けられた開口に嵌め込まれ、かつ、その磁石の外周面と上記開口の内周面との重なり箇所が接着剤で接合されていると共に、上記支持体の立上り部が上記固定箇所よりも下部位置で折り曲げられていることによってその立上り部に上記取付け部の前方に迫り出す傾斜部が具備されている、という構成を採用することが可能である。この構成を採用しておくと、ドアの磁性面が磁石に吸着したときの衝撃が、立上り部に具備されている傾斜部の弾性変形によって吸収されるため、支持体の変形や破損が防止され、併せて、ドア側の磁石の吸着箇所が傷付いたり吸着箇所の塗装が剥がれたりするおそれが少なくなる。また、このドアストッパーは側面視Ｌ字状の弾性を備えた板金製支持体の立上り部に磁石が埋め込まれた形態を有するので、立上り部から突き出た磁石が目立って外観を損なうといった事態が起こらない。
【００１２】
本考案に係るドアストッパーでは、上記立上り部と上記磁石との固定箇所において、上記磁石がその貫通孔に挿通された皿頭ねじを利用して上記立上り部にねじ止めされ、かつ、上記皿頭ねじの頭部の全体が、上記貫通孔に具備された凹入部に収容されている、という構成を採用することが可能である。この構成であれば、接着剤を使用することなく、磁石を立上り部に強固に固定することが可能である。この考案において、磁石がその貫通孔に挿通した皿頭ねじを利用して上記立上り部にねじ止めする態様の具体例としては、立上り部に開設したねじ孔に皿頭ねじをねじ込むという態様や、立上り部に開設したボルト挿通孔に挿通させた皿頭ねじとその皿頭ねじにねじ込んだナットとによって立上り部及び磁石を挟み付けるという態様などを採用することが可能である。
【００１３】
本考案に係るドアストッパーの据付構造は、上記したドアストッパーにおける支持体の取付け部に開設されている取付け孔に、床面から突出された取付けボルトが挿通され、その取付けボルトにねじ込まれたナット体と上記床面とによって上記取付け部が挟持固定されている、というものである。この据付構造を採用すると、支持体を床面に強固に固定することが可能になる。
【００１４】
本考案に係るドアストッパーの据付構造では、上記取付けボルトが床部に打ち込まれたアンカーボルトであり、上記ナット体は、上記アンカーボルトにねじ合わされたねじ孔を有する支柱にドアとの衝撃を和らげる緩衝体が設けられてなる戸当たりに備わっている上記支柱である、という構成を採用することが可能である。この構成を採用すると、床面に装備されている戸当たりを利用して当該ドアストッパーを据え付けることができるようになる。そのため、当該ドアストッパーを据え付けるために特別に取付けボルトを床面から突出させたり、その取付けボルトの相手方であるナット体を特別に用いたりする必要がない。
【００１５】
本考案に係るドアストッパーの据付構造では、床部に打ち込まれたアンカーボルトに、ドアとの衝撃を和らげる緩衝体が設けられた円柱状の支柱のねじ孔がねじ合わされてなる戸当たりに備わっている上記支柱に、上記したドアストッパーにおける支持体の取付け部に開設されている取付け孔が嵌合されていることによって、上記ドアストッパーが、上記支柱に回動自在に保持されている、という構成を採用することが可能である。この構成であれば、床面に装備されている戸当たりを利用して当該ドアストッパーを据え付けることができるようになるだけでなく、ドアストッパーの磁石の向きを戸当たりの支柱の周りで自由に変えられるようになる。そのため、必要なときだけドアストッパーを利用してドアの開き位置を保持させることが可能であり、必要がないときにはドアストッパーの磁石をドアとの対向位置から逃がして戸当たりを利用する、という使い分けが可能になる。
【考案の効果】
【００１６】
以上のように、本考案に係るドアストッパーは、床面の定位置に設置した磁石を利用してドアの開き位置を保持させることができるので、その使用によりドアのヒンジを傷めたり、ドアの外観を損ねたりするという事態が起こらなくなる。また、本考案に係るドアストッパーの据付構造は、戸当たりが床面に設置されているような場所において、その戸当たりを利用して床面に据え付けることのできるようになるという利便性がある。
【図面の簡単な説明】
【００１７】
【図１】本考案の実施形態に係るドアストッパーの分解斜視図である。
【図２】支持体の立上り部と磁石との固定箇所の断面図である。
【図３】支持体の立上り部と磁石との固定構造の変形例を示した断面図である。
【図４】支持体の立上り部と磁石との固定構造の他の変形例を示した断面図である。
【図５】支持体の立上り部と磁石との固定構造のさらい他の変形例を示した断面図である。
【図６】戸当たりを利用して据え付けられたドアストッパーの部分断面図である。
【図７】戸当たりを利用して据え付けられたドアストッパーの作用を示した説明図である。
【図８】戸当たりを利用する据付構造の他の実施形態を示した部分断面図である。
【図９】図７の据付構造によって据え付けられたドアストッパーの作用を示した説明図である。
【図１０】ドアストッパーの変形例を示した部分断面図である。
【図１１】戸当たりの据付構造を例示した部分断面図である。
【図１２】戸当たりの作用を示した説明図である。
【図１３】従来例の斜視図である。
【考案を実施するための形態】
【００１８】
図１は本考案の実施形態に係るドアストッパーの分解斜視図である。同図のように、このドアストッパー１００は、側面視Ｌ字状の支持体１０を備えている。支持体１０の材料には短冊形の鉄板や鋼板といった弾性を備えた板金が採用されていて、その板金の長手方向の１箇所を直角に折り曲げることによって垂直な立上り部１１とこの立上り部１１に連設された水平な取付け部１２とが形成されている。そして、立上り部１１の前面上端部に円板形の偏平な磁石Ｍが固定されるのに対し、取付け部１２には円形の取付け孔１３が設けられている。磁石Ｍはその裏面の全体を立上り部１１の前面に接着剤（不図示、以下同じ）で接合しておくことが可能であるけれども、この実施形態では、磁石Ｍと立上り部１１との接合強度を高めることを意図して次に説明する固定構造を採用している。
【００１９】
図２は支持体１０の立上り部１１と磁石Ｍとの固定構造を示した断面図である。同図の固定構造を採用した立上り部１１と磁石Ｍとの固定箇所では、磁石Ｍの裏面外周部が立上り部１１に設けられた円形の開口１４の外周縁部に重なり合い（重なり箇所を符号ａで示す）、開口１４に嵌め込まれた円板形の樹脂部材１６（図１参照）の片面の全体が磁石Ｍの裏面に重なり合い（重なり箇所を符号ｂで示す）、樹脂部材１６の外周端面と開口１４の内周面とが重なり合っている（重なり箇所を符号ｃで示す）。そして、それら３箇所の重なり箇所ａ，ｂ，ｃで、樹脂部材１６が立上り部１１に接着剤で接合されている。支持体１０の立上り部１１と磁石Ｍとの固定構造としてこの構成を採用しておくと、重なり箇所ａで磁石Ｍが立上り部１１の開口１４の外周縁部に接着剤で直接に接合されているだけでなく、重なり箇所ｃで立上り部１１に接着剤で接合されている樹脂部材１６の片面の全体が、重なり箇所ｂで磁石Ｍに接着剤で接合されていることにより、磁石Ｍが立上り部１１に強固に接合された状態になり、磁石Ｍが立上り部１１から剥がれてしまうという事態が容易には起こり得ない。
【００２０】
図３は支持体１０の立上り部１１と磁石Ｍとの固定構造の変形例を示した断面図である。この固定構造を採用した立上り部１１と磁石Ｍとの固定箇所では、磁石Ｍの表面が立上り部１１の表面に対して面一になるようにその磁石Ｍが立上り部１１に設けられた開口１４に埋め込み状に嵌め込まれていて、その磁石Ｍの外周面と開口１４の内周面との重なり箇所ｄが接着剤で接合されている。
【００２１】
図４は支持体１０の立上り部１１と磁石Ｍとの固定構造の他の変形例を示した断面図である。この固定構造を採用した立上り部１１と磁石Ｍとの固定箇所では、磁石Ｍが貫通孔２を有していて、その貫通孔２に挿通された皿頭ねじ１を利用して上記立上り部１１にねじ止めされている。しかも、その皿頭ねじ１の頭部４の全体が、上記貫通孔２に具備された凹入部３に収容されている。この固定構造は、図５に断面図で示したさらに他の変形例においても同様である。
【００２２】
図４及び図５に示した固定構造のうち、図４のものは、立上り部１１に開設したねじ孔５に皿頭ねじ１をねじ込んでいる。これに対し、図５のものは、立上り部１１に開設したボルト挿通孔６に挿通させた皿頭ねじ１とその皿頭ねじ１にねじ込んだナット７とによって立上り部１１及び磁石Ｍを挟み付けている。これらの固定構造を採用すると、接着剤を使用することなく、磁石Ｍが立上り部１１に強固に固定される。
【００２３】
この実施形態のドアストッパー１００は、ヒンジを中心として開閉動されるドア（後述する）の開き位置を保持させることに用いられ、その据付箇所には床面が選定される。そして、床面にドアストッパー１００を据え付ける場合に採用される基本的な据付構造には、ドアストッパー１００における支持体１０の取付け部１２に開設されている取付け孔１３に、床面から突出された取付けボルト（不図示）を挿通し、その取付けボルトにねじ込んだナット体（不図示）と床面とによって取付け部１２を挟持させて固定するという構成を採用することができる。
【００２４】
ところで、ホテル客室のドアなどには、床面に据え付けられた戸当たりが併設されていることがある。この戸当たりを図１１及び図１２を参照して説明する。
【００２５】
図１１は戸当たり２００の据付構造を例示した部分断面図、図１２は戸当たり２００の作用を示した説明図である。図１１のように、戸当たり２００は、ねじ孔３１を有する支柱３０にドア（不図示）との衝撃を和らげるゴム輪などの緩衝体３２が設けられてなる。そして、同図のように、この戸当たり２００は、支柱３０のねじ孔３１を、床部に打ち込まれて床面Ｆから突出されたアンカーボルト４０にねじ合わせて締め付けることによって床面Ｆに据え付けられる。こうして据え付けられた戸当たり２００によると、図１２のように、ヒンジＨを中心として開閉動されるドアＤが仮想線で示した閉位置から矢印Ｙのように開かれたときに、そのドアＤが戸当たり２００の緩衝体３２に衝突して衝撃を和らげる作用が発揮される。
【００２６】
そこで、本考案の考案者は、床面に据え付けられた戸当たり２００が併設されているドアに着目し、その戸当たり２００を利用して、図１〜図５を参照して説明したドアストッパー１００を据え付けると、特別に取付けボルトを床面から突出させたり、その取付けボルトの相手方であるナット体を特別に用いたりする必要がなくなるであろうと考えた。次に、この考えに基づくドアストッパー１００の据付構造の実施形態を説明する。
【００２７】
図６は戸当たり２００を利用して据え付けられたドアストッパー１００の部分断面図、図７はこの据付構造によって据え付けられたドアストッパー１００の作用を示した説明図である。
【００２８】
図６に示した据付構造では、上記した基本的な据付構造で採用される取付けボルトとして、床部に打ち込まれたアンカーボルト４０が転用されていて、このアンカーボルト４０を、ドアストッパー１００の取付け部１２に設けられている取付け孔１３に挿通させている。また、基本的な上記据付構造で採用されるナット体には、戸当たり２００の支柱３０が転用されていて、その支柱３０のねじ孔３１が上記アンカーボルト４０にねじ合わされている。このようにすると、ドアストッパー１００の取付け部１２が、支柱３０と床面Ｆとによって挟持固定されるので、床面Ｆに装備されている戸当たり２００を利用して当該ドアストッパー１００を据え付けることが可能である。
【００２９】
この据付構造を採用して床面Ｆにドアストッパー１００が据え付けられていると、図７のようにヒンジＨを中心として開閉動されるドアＤが仮想線で示した閉位置から矢印Ｙのように開かれたときに、ドアストッパー１００の磁石ＭがドアＤの磁性面に吸着してドアＤがその開き位置で保持される。この場合、磁石Ｍが戸当たり２００の緩衝体３２よりも前に位置しているので、ドアＤが緩衝体３２に衝突することはない。
【００３０】
図８は戸当たり２００を利用する据付構造の他の実施形態を示した部分断面図、図９はその据付構造によって据え付けられたドアストッパー１００の作用を示した説明図である。この実施形態において、戸当たり２００は、支柱３０のねじ孔３１を、床部に打ち込まれて床面Ｆから突出されたアンカーボルト４０にねじ合わせて締め付けることによって床面Ｆに据え付けられている。また、ドアストッパー１００において、支持体１０の取付け部１２の取付け孔１３が、戸当たり２００の支柱３０に嵌合されていることによって、ドアストッパー１００が支柱３０に回動自在に保持されている。さらに、支柱３０には、ドアストッパー１００の取付け部１２のぐらつきを防ぐための外筒１７が嵌め込まれている。
【００３１】
この構成を採用すると、床面Ｆに装備されている戸当たり２００を利用して当該ドアストッパー１００を据え付けることができるようになるだけでなく、ドアストッパー１００の磁石Ｍの向きを、図９に矢印Ｘで示したように戸当たり２００の支柱３０（図８参照）の周りで自由に変えられるようになる。そのため、必要なときだけドアストッパー１００を利用してドアの開き位置を保持させることが可能であり、必要がないときにはドアストッパー１００の磁石Ｍをドアとの対向位置から逃がして戸当たり２００を利用する、という使い分けが可能になる。
【００３２】
次に、図２に示したように、磁石Ｍが支持体１０の立上り部１１に重ね合わされてその前方に突き出ているものでは、支持体１０が弾性を備えた板金製であることにより、ドアが磁石Ｍに衝突したときにその支持体１０の立上り部１１が背方へ弾性変形して衝撃を和らげる作用を発揮する。このことは、支持体１０の変形や破損を防止し、併せて、ドア側の磁石Ｍの吸着箇所が傷付いたり吸着箇所の塗装が剥がれたりするおそれを少なくすることに役立つ。
【００３３】
この点に関し、図３に示したように、磁石Ｍの表面が立上り部１１の表面に対して面一になっているドアストッパー１００では、ドアが磁石Ｍに衝突したときの衝撃を緩和する作用が発揮されにくい。この点を改善するための対策を図１０に示している。
【００３４】
図１０はドアストッパー１００の変形例を示した部分断面図である。同図のドアストッパー１００では、支持体１０の立上り部１１が、磁石Ｍの固定箇所よりも下部位置で折り曲げられていることによって、その立上り部１１に取付け部１２の前方に迫り出す傾斜部１９が具備されている。支持体１０がこのように形成されていると、磁石Ｍの表面が立上り部１１の表面に対して面一になっているとしても、ドアが磁石Ｍないし立上り部１１に衝突したときに立上り部１１が傾斜部１９の形成箇所で弾性変形して衝撃を和らげる作用を発揮する。
【００３５】
上記した各実施形態において、磁石Ｍには、磁束密度が高くて非常に強い磁力を持つネオジム磁石（ネオジウム磁石）を採用することが可能である。そして、磁石Ｍにネオジム磁石を採用しておくと、ドアの磁性面に対して非常に大きな吸着力が得られるため、ドアストッパー１００によるドアの 開き位置を保持する作用が確実に発揮されるようになって、ドアが磁石Ｍから離れて不慮に閉じたりすることがなくなる。
【００３６】
しかしながらその反面で、磁石Ｍにネオジム磁石を用いると、磁力が強い故に、ドアが閉じられてドアストッパー１００から離れるときに、磁石Ｍが支持体１０の立上り部１１から引き剥がされてドア側に吸着したままになるという事態が起こりやすくなるということが想定される。このような事態を防ぐためには、図２を参照して説明した支持体１０の立上り部１１と磁石Ｍとの固定構造を採用しておくことが望ましい。この固定構造によると、立上り部１１と磁石Ｍとの固定箇所では、同図に示した３箇所の重なり箇所ａ，ｂ，ｃで磁石Ｍと立上り部１１、又は、樹脂部材１６と磁石Ｍと立上り部１１とが接着剤で接合されているために、磁石Ｍが立上り部１１に強固に接合された状態になり、磁石Ｍが立上り部１１から剥がれてしまうという事態が容易には起こり得ないという利点がある。また、図４又は図５に示した固定構造によっても磁石Ｍが立上り部１１から剥がれてしまうという事態が容易には起こり得ない
【００３７】
さらに、磁石Ｍにネオジム磁石を採用すると、ネオジム磁石が機械的に壊れやすいという特性を持つために、ドアとの衝突によって磁石Ｍが破損するということも懸念される。この点は、磁石Ｍの表面をめっき層などの保護層で被覆してその機械的強度を高めたり、支持体１０の立上り部１１に上記したような弾性変形作用を発揮させることによって改善することが可能である。
【００３８】
本考案において採用し得る磁石Ｍは、上記したネオジム磁石に限定されることはなく、フェライト磁石、サマリウムコバルト磁石、アルニコ磁石といった他の種類の磁石であってもよい。また、ドアの磁性面は、ドアが磁性を持つ鉄などの金属製のものであればそのドア自体の表面が相当し、ドアが木製などの非磁性体で作られているものでは、そのドアの表面に貼り付けられた金属製の磁性プレートなどが相当する。
【００３９】
本考案の実施形態に係るドアストッパー１００は、ホテル客室のドアのように、室内清掃中に開け放たれたままにされるドアのドアストッパーとして特に好適に採用することができ、その際に、既設の戸当たり２００が設置されている箇所では、その戸当たり２００を利用することによって、新たに取付けボルトなどを設置することなく据え付けることができるという利点がある。
【符号の説明】
【００４０】
Ｄ  ドア
Ｆ  床面
Ｈ  ヒンジ
Ｍ  磁石
１  皿頭ねじ
２  貫通口
３  凹入部
４  皿頭ねじの頭部
５  ねじ孔
６  ボルト挿通孔
７  ナット
１０  支持体
１１  立上り部
１２  取付け部
１３  取付け孔
１４  開口
１６樹脂部材
１９  傾斜部
３０  ナット体（支柱）
３１  ねじ孔
３２  緩衝体
４０  アンカーボルト（取付けボルト）
１００  ドアストッパー
２００  戸当たり
ａ  磁石の裏面外周部と開口の外周縁部に重なり箇所
ｂ  樹脂部材の片面の全体と磁石の裏面との重なり箇所
ｃ  樹脂部材の外周端面と開口の内周面との重なり箇所
ｄ  磁石の外周面と開口の内周面との重なり箇所
【図１】
0003207462.tif 000003
【図２】
0003207462.tif 000004
【図３】
0003207462.tif 000005
【図４】
0003207462.tif 000006
【図５】
0003207462.tif 000007
【図６】
0003207462.tif 000008
【図７】
0003207462.tif 000009
【図８】
0003207462.tif 000010
【図９】
0003207462.tif 000011
【図１０】
0003207462.tif 000012
【図１１】
0003207462.tif 000013
【図１２】
0003207462.tif 000014
【図１３】
0003207462.tif 000015